(57)【特許請求の範囲】
【請求項１】
複数の四分型画素であり、前記四分型画素は、W副画素と、色が互いに異なる第１の副画素、第２の副画素及び第３の副画素とを含む複数の四分型画素を含み、
前記第１の副画素は、前記第２の副画素に隣接し、前記第２の副画素の上に位置し、前記第１の副画素及び前記第２の副画素は、同じ幅を有し、前記第１の副画素及び前記第２の副画素の組み合わせと、前記第３の副画素と、前記W副画素とが、前記四分型画素を形成し、前記第１の副画素及び前記第２の副画素の画素面積は、前記第３の副画素及び前記W副画素の画素面積より小さく、
前記第１の副画素及び前記第２の副画素の前記組み合わせは、前記第３の副画素に隣接し、前記第１の副画素及び前記第２の副画素の前記組み合わせは、前記第３の副画素と同じ長さを有し、前記W副画素は、前記第１の副画素、前記第２の副画素及び前記第３の副画素により形成される全体構造の上側、下側、左側又は右側に配置されるディスプレイパネル。
【請求項２】
複数の四分型画素であり、前記四分型画素は、W副画素と、色が互いに異なる第１の副画素、第２の副画素及び第３の副画素とを含む複数の四分型画素を含み、
前記第１の副画素は、前記第２の副画素に隣接し、前記第２の副画素の上に位置し、前記第１の副画素及び前記第２の副画素は、同じ幅を有し、前記第１の副画素及び前記第２の副画素の組み合わせと、前記第３の副画素と、前記W副画素とが、前記四分型画素を形成し、前記第１の副画素及び前記第２の副画素の画素面積は、前記第３の副画素及び前記W副画素の画素面積より小さく、
前記第１の副画素及び前記第２の副画素の前記組み合わせは、前記W副画素に隣接し、前記第１の副画素及び前記第２の副画素の前記組み合わせは、前記W副画素と同じ長さを有し、前記第３の副画素は、前記第１の副画素、前記第２の副画素及び前記W副画素により形成される全体構造の上側、下側、左側又は右側に配置されるディスプレイパネル。
【請求項３】
複数の四分型画素であり、前記四分型画素は、W副画素と、色が互いに異なる第１の副画素、第２の副画素及び第３の副画素とを含む複数の四分型画素を含み、
前記第１の副画素は、前記第２の副画素に隣接し、前記第２の副画素の上に位置し、前記第１の副画素及び前記第２の副画素は、同じ幅を有し、前記第１の副画素及び前記第２の副画素の組み合わせと、前記第３の副画素と、前記W副画素とが、前記四分型画素を形成し、前記第１の副画素及び前記第２の副画素の画素面積は、前記第３の副画素及び前記W副画素の画素面積より小さく、
前記第３の副画素及び前記W副画素は、長辺上で隣接し、前記第１の副画素及び前記第２の副画素の前記組み合わせは、前記第３の副画素及び前記W副画素の組み合わせの全体構造の上側、下側、左側又は右側に配置されるディスプレイパネル。
【請求項４】
前記第３の副画素はB副画素であり、前記第１の副画素及び前記第２の副画素は、個別にR副画素又はG副画素の１つである、請求項１乃至３のうちいずれか１項に記載のディスプレイパネル。
【請求項５】
前記第１の副画素は前記R副画素であり、前記第２の副画素は前記G副画素であり、前記R副画素の画素面積は前記G副画素の画素面積より大きい、請求項４に記載のディスプレイパネル。
【請求項６】
前記第１の副画素は前記G副画素であり、前記第２の副画素は前記R副画素であり、前記R副画素の画素面積は前記G副画素の画素面積より大きい、請求項４に記載のディスプレイパネル。
【請求項７】
前記四分型画素内の前記R副画素、前記G副画素、前記B副画素及び前記W副画素は、共有陰極電源又は共有陽極電源を使用する、請求項４乃至６のうちいずれか１項に記載のディスプレイパネル。
【請求項８】
前記四分型画素内で、前記R副画素、前記G副画素及び前記B副画素は、共有陰極電源又は共有陽極電源を使用し、前記W副画素は他の陰極電源又は陽極電源を使用する、請求項４乃至６のうちいずれか１項に記載のディスプレイパネル。
【請求項９】
前記複数の四分型画素内の全ての四分型画素は、同じ構造を有する、請求項１乃至８のうちいずれか１項に記載のディスプレイパネル。
【発明の詳細な説明】
【技術分野】
【０００１】
本発明は、ディスプレイ技術の分野に関し、特にディスプレイパネルに関する。
【背景技術】
【０００２】
有機発光ダイオード（Organic  Light-Emitting  Diode、OLED）は、有機エレクトロルミネッセンスディスプレイとも呼ばれる。OLEDディスプレイ技術は、自発光特性を有し、有機材料の極めて薄いコーティング及びガラス基板が仕様される。電流が通過するときに、これらの有機材料が光を発光する。さらに、OLEDディスプレイ画面は、大きい視野角を有し、電気エネルギーを節約することができる。
【０００３】
ディスプレイ技術が絶えず進展するにつれて、パネルの低電力消費が進展のトレンドである。白色光OLEDの電気エネルギーを光に変換する高い効率と、より長い耐用寿命との理由で、様々な会社が、電力消費を低減するために、図１に示す平行RGBW配置方式又は図２に示す２行２列RGBW方式のような方式を個別に提案している。高画素密度技術にとって、良好な機械的安定性を有する高精細メタルマスクを製造することは困難であり、高精細メタルマスクを製造する鍵は、画素及び副画素（subpixel）の配置方式である。しかし、前述の２つの画素配置方式では、４つの副画素が１つの画素を形成する。したがって、パネルの画素密度（Pixel  Per  Inch、PPI）が比較的低い。
【０００４】
図３に示すように、従来技術では、全体パネルの画素密度を増加させるために、R、G及びB副画素においてG副画素を配置するために比較的小さい面積が占有される。しかし、R、G及びB副画素が１つのパネルを形成する場合、画素密度は確保されるが、電力消費が比較的高く、耐用寿命が比較的短い。
【０００５】
したがって、ディスプレイパネルの低電力消費を維持しつつ、PPIを維持することは、解決されるべき比較的困難な問題である。
【発明の概要】
【０００６】
本発明の実施例は、ディスプレイパネルを提供し、これは、電力消費を低減しつつ、画素密度を維持する。
【０００７】
本発明の実施例の第１の態様は、複数の四分型画素であり、四分型画素は、W副画素と、色が互いに異なる第１の副画素、第２の副画素及び第３の副画素とを含む複数の四分型画素を含み、第１の副画素は、第２の副画素に隣接し、第２の副画素の上に位置し、第１の副画素及び第２の副画素は、同じ幅を有し、第１の副画素及び第２の副画素の組み合わせと、第３の副画素と、W副画素とが、四分型画素を形成し、第１の副画素及び第２の副画素の画素面積は、第３の副画素及びW副画素の画素面積より小さいディスプレイパネルを提供する。
【０００８】
本発明の実施例の第１の態様を参照して、本発明の実施例の第１の態様の第１の実現では、第１の副画素及び第２の副画素の組み合わせは、第３の副画素に隣接し、第１の副画素及び第２の副画素の組み合わせは、第３の副画素と同じ長さを有し、W副画素は、第１の副画素、第２の副画素及び第３の副画素により形成される全体構造の上側、下側、左側又は右側に配置される。
【０００９】
本発明の実施例の第１の態様を参照して、本発明の実施例の第１の態様の第２の実現では、第１の副画素及び第２の副画素の組み合わせは、W副画素に隣接し、第１の副画素及び第２の副画素の組み合わせは、W副画素と同じ長さを有し、第３の副画素は、第１の副画素、第２の副画素及びW副画素により形成される全体構造の上側、下側、左側又は右側に配置される。
【００１０】
本発明の実施例の第１の態様を参照して、本発明の実施例の第１の態様の第３の実現では、第３の副画素及びW副画素は、横向きに配置され、第３の副画素及びW副画素は、長辺上で隣接し、第１の副画素及び第２の副画素の組み合わせは、第３の副画素及びW副画素の組み合わせの全体構造の上側、下側、左側又は右側に配置される。
【００１１】
本発明の実施例の第１の態様〜第１の態様の第３の実現を参照して、本発明の実施例の第１の態様の第４の実現では、第３の副画素はB副画素であり、第１の副画素及び第２の副画素は、個別にR副画素又はG副画素の１つである。
【００１２】
本発明の実施例の第１の態様の第４の実現を参照して、本発明の実施例の第１の態様の第５の実現では、第１の副画素はR副画素であり、第２の副画素はG副画素であり、R副画素の画素面積はG副画素の画素面積より大きい。
【００１３】
本発明の実施例の第１の態様の第４の実現を参照して、本発明の実施例の第１の態様の第６の実現では、第１の副画素はG副画素であり、第２の副画素はR副画素であり、R副画素の画素面積はG副画素の画素面積より大きい。
【００１４】
本発明の実施例の第１の態様の第４の実現〜第１の態様の第６の実現を参照して、本発明の実施例の第１の態様の第７の実現では、四分型画素内のR副画素、G副画素、B副画素及びW副画素は、共有陰極電源又は共有陽極電源を使用する。
【００１５】
本発明の実施例の第１の態様の第４の実現〜第１の態様の第６の実現を参照して、本発明の実施例の第１の態様の第８の実現では、四分型画素内で、R副画素、G副画素及びB副画素は、共有陰極電源又は共有陽極電源を使用し、W副画素は他の陰極電源又は陽極電源を使用する。
【００１６】
本発明の実施例の第１の態様〜第１の態様の第８の実現を参照して、本発明の実施例の第１の態様の第９の実現では、複数の四分型画素内の全ての四分型画素は、同じ構造を有する。
【００１７】
前述の技術的解決策から、本発明の実施例は、以下の利点を有することが習得され得る。
【００１８】
本発明の実施例において、第１の副画素及び第２の副画素は、同じ幅を有し、第１の副画素及び第２の副画素の画素面積は、第３の副画素及びW副画素の画素面積より小さい。第１の副画素及び第２の副画素の画素面積が減少するため、全体ディスプレイパネルの画素密度PPIが増加する。さらに、白色副画素がパネルに追加されるため、電力消費が低減され、耐用寿命が延長する。
【図面の簡単な説明】
【００１９】
【図１】従来技術における画素配置方式の実施例の概略図である。
【図２】従来技術における画素配置方式の他の実施例の概略図である。
【図３】従来技術における画素配置方式の他の実施例の概略図である。
【図４】本発明の実施例によるディスプレイパネル内の四分型画素の実施例の概略図である。
【図４Ａ】本発明の実施例によるslit式蒸着maskの概略図である。
【図４Ｂ】本発明の実施例によるslot式蒸着maskの概略図である。
【図５】本発明の実施例によるディスプレイパネル内の四分型画素の他の実施例の概略図である。
【図６】本発明の実施例によるディスプレイパネル内の四分型画素の他の実施例の概略図である。
【図７】本発明の実施例によるディスプレイパネル内の四分型画素の他の実施例の概略図である。
【図８】本発明の実施例によるディスプレイパネル内の四分型画素の他の実施例の概略図である。
【図９】本発明の実施例によるディスプレイパネル内の四分型画素の他の実施例の概略図である。
【図１０】本発明の実施例によるディスプレイパネル内の四分型画素の他の実施例の概略図である。
【図１１】本発明の実施例によるディスプレイパネル内の四分型画素の配置方式の他の実施例の概略図である。
【図１２】本発明の実施例によるディスプレイパネル内の四分型画素の配置方式の他の実施例の概略図である。
【図１３】本発明の実施例によるディスプレイパネル内の四分型画素の配置方式の他の実施例の概略図である。
【図１４】本発明の実施例によるディスプレイパネル内の四分型画素の配置方式の他の実施例の概略図である。
【図１５】本発明の実施例によるディスプレイパネル内の四分型画素の配置方式の他の実施例の概略図である。
【図１６】本発明の実施例によるディスプレイパネル内の四分型画素内の副画素のための電源回路の実施例の概略図である。
【図１７】本発明の実施例によるディスプレイパネル内の四分型画素内の副画素のための電源回路の他の実施例の概略図である。
【発明を実施するための形態】
【００２０】
本発明の実施例は、ディスプレイパネルを提供し、これは、電力消費を低減し、耐用寿命を延長しつつ、画素密度を維持する。
【００２１】
本発明における技術的解決策を当業者により良く理解させるために、以下に、本発明の実施例における添付図面を参照して本発明の実施例における技術的解決策を明確且つ完全に説明する。明らかに、説明する実施例は、本発明の実施例の全てではなく、単なる一部である。創造的取り組みなしに本発明の実施例に基づいて当業者により得られる全ての他の実施例は、本発明の保護範囲内に入るものとする。
【００２２】
本発明の明細書、特許請求の範囲及び添付図面において、「第１」、「第２」等の用語（存在する場合）は、同様の対象物の間を区別することを意図するものであり、必ずしも特定の序列又は順序を示すとは限らない。このように呼ばれるデータは、適切な状況で交換可能であり、これにより、ここに記載の本発明の実施例は、ここに図示又は記載の序列以外の序列で実現されることができることが理解されるべきである。さらに、「含む」、「包含する」及び他の変形の用語は、非排他的な包含をカバーすることを意味し、例えば、ステップ又はユニットのリストを含む処理、方法、システム、プロダクト又はデバイスが必ずしもこれらのユニットに限定されず、このような処理、方法、システム、プロダクト又はデバイスに明示的に記載されていないか或いは固有である他のユニットを含んでもよい。
【００２３】
本発明の実施例におけるディスプレイパネルの実施例は、以下の内容を含む。
【００２４】
ディスプレイパネルは、複数の四分型画素を含む。四分型画素は、W副画素（白色副画素）と、色が互いに異なる第１の副画素、第２の副画素及び第３の副画素とを含む。
【００２５】
第１の副画素は、第２の副画素に隣接し、第２の副画素の上に位置し、第１の副画素及び第２の副画素は、同じ幅を有し、第１の副画素及び第２の副画素の組み合わせと、第３の副画素と、W副画素とが、四分型画素を形成し、第１の副画素及び第２の副画素の画素面積は、第３の副画素及びW副画素の画素面積より小さい。
【００２６】
図４に示すように、本発明のこの実施例では、四分型画素について、１つの四分型画素内に第１の副画素、第２の副画素、第３の副画素及びW副画素が存在する。各副画素は、四辺形であり、各副画素は、個別の有機発光成分を有する。有機発光成分は、高精細メタルマスク（Fine  Metal  Mask、FMM）を使用することにより、且つ蒸着膜形成技術を使用することにより、array（アレイ）基板上の対応する画素位置内に形成される。
【００２７】
マスク（Mask）の開口面積は規格の下限値を有するため、製造過程における許容誤差（tolerance）により影響されることを回避するために、ギャップ（gap）が隣接する画素の開口の間に提供される必要がある。本発明のこの実施例では、隣接する副画素は、配置位置における互いに近い副画素である。確保されるギャップはほとんど変化しないため、副画素の画素面積が他の副画素の画素面積より大きい場合、その副画素の発光面積も他の副画素の発光面積より大きい。したがって、第１の副画素及び第２の副画素の発光面積が第３の副画素及びW副画素の発光面積より小さいことが習得され得る。
【００２８】
本発明のこの実施例では、副画素の配置方式は、スリット（slit）、スロット（slot）、PenTile又はIGNISのような配置方式を使用してもよい。図４Ａ及び図４Ｂは、それぞれslit式蒸着mask及びslot式蒸着maskに対応している。図４Ａ及び図４Ｂにおいて、101及び103は、マスクカバー領域であり、蒸着領域開口102及び104は、それぞれスリット（slit）開口及びスロット（slot）開口である。図４Ａは、slit式蒸着maskを示す。slit式蒸着maskに対応するメタルマスクのサイズは、副画素のサイズに対応している。メタルマスクの開口方式の主な特徴は以下の通りである。ディスプレイ本体内の同じ列内の全ての副画素は、開口を共有する。メタルマスク開口は比較的長い。ディスプレイ画面のサイズが増加すると、メタルマスクの開口長さが相応に増加する必要がある。隣接する開口の間の非開口部は、メタルストライプ（stripe）を形成する。
【００２９】
任意選択で、第１の副画素及び第２の副画素の組み合わせは、第３の副画素に隣接し、第１の副画素及び第２の副画素の組み合わせは、第３の副画素と同じ長さを有し、W副画素は、第１の副画素、第２の副画素及び第３の副画素により形成される全体構造の上側、下側、左側又は右側に配置される。
【００３０】
任意選択で、第１の副画素及び第２の副画素の組み合わせは、W副画素に隣接してもよく、第１の副画素及び第２の副画素の組み合わせは、W副画素と同じ長さを有し、第３の副画素は、第１の副画素、第２の副画素及びW副画素により形成される全体構造の上側、下側、左側又は右側に配置される。
【００３１】
任意選択で、第３の副画素及びW副画素は、横向きに配置され、第３の副画素及びW副画素は、長辺上で隣接し、第１の副画素及び第２の副画素の組み合わせは、第３の副画素及びW副画素の組み合わせの全体構造の上側、下側、左側又は右側に配置される。
【００３２】
第１の副画素、第２の副画素及び第３の副画素は、個別にG副画素（緑色副画素）、B副画素（青色副画素）又はR副画素（赤色副画素）の１つでもよい。
【００３３】
好ましくは、第３の副画素は、B副画素でもよく、第１の副画素及び第２の副画素は、個別にR副画素又はG副画素の１つでもよい。
【００３４】
R、G及びB副画素の発光効率及び耐用寿命の順序に関して、B副画素はR副画素よりずっと小さく、R副画素はG副画素より小さいため、耐用寿命を延長するために、好ましくは、B副画素は最大の画素面積を有し、R副画素は２番目に大きい画素面積を有し、G副画素は最小の画素面積を有する。１つの場合において、第１の副画素及び第２の副画素は、個別にG副画素又はR副画素の１つであり、第３の副画素は、B副画素であり、R副画素の画素面積は、G副画素の画素面積より大きく、W副画素は、G副画素、B副画素及びR副画素により形成される全体構造の上側、下側、左側又は右側に配置される。
【００３５】
例えば、図５、図６、図７及び図８に示すように、第１の副画素は、R副画素であり、第２の副画素は、G副画素であり、第３の副画素は、B副画素であり、W副画素は、R副画素、G副画素及びB副画素により形成される全体構造の上側、下側、左側又は右側に配置される。
【００３６】
本発明のいくつかの実施例では、第１の副画素がR副画素であり、第２の副画素がG副画素であり、第３の副画素がB副画素である場合、R副画素及びG副画素の組み合わせは、W副画素に更に隣接してもよく、R副画素及びG副画素の組み合わせと、W副画素とは同じ長さを有し、R副画素の画素面積は、G副画素の画素面積より大きく、B副画素は、R副画素、G副画素及びW副画素により形成される全体構造の上側、下側、左側又は右側に配置される。図９に示すように、B副画素は、R副画素、G副画素及びW副画素により形成される全体構造の下側に配置される。これは、ここでは限定されない。
【００３７】
本発明のいくつかの実施例では、第１の副画素がR副画素であり、第２の副画素がG副画素であり、第３の副画素がB副画素である場合、B副画素及びW副画素は、長辺上で隣接し、R副画素及びG副画素の組み合わせは、B副画素及びW副画素の組み合わせの全体構造の上側、下側、左側又は右側に配置される。図１０に示すように、R副画素及びG副画素の組み合わせの構造は、B副画素及びW副画素の組み合わせの構造の左側に配置される。これは、ここでは限定されない。
【００３８】
第１の副画素及び第２の副画素は、個別にG副画素又はB副画素の１つでもよく、第３の副画素は、R副画素であり、W副画素は、第１の副画素、第２の副画素及び第３の副画素により形成される全体構造の上側、下側、左側又は右側に配置されることが理解され得る。例えば、第１の副画素は、B副画素であり、第２の副画素は、G副画素であり、第３の副画素は、R副画素であり、白色副画素は、G副画素、B副画素及びR副画素により形成される全体構造の下側に配置される。
【００３９】
第１の副画素及び第２の副画素は、個別にR副画素又はB副画素の１つでもよく、第３の副画素は、G副画素であり、W副画素は、第１の副画素、第２の副画素及び第３の副画素により形成される全体構造の上側、下側、左側又は右側に配置される。例えば、第１の副画素は、B副画素であり、第２の副画素は、R副画素であり、第３の副画素は、G副画素であり、白色副画素は、G副画素、B副画素及びR副画素により形成される全体構造の上側に配置される。
【００４０】
本発明のこの実施例では、第１の副画素、第２の副画素及び第３の副画素は、R副画素、G副画素及びB副画素以外のカラー副画素でもよく、例えば、yellow副画素（黄色副画素）、cyan副画素（シアン副画素）及びpurple副画素（紫色副画素）でもよい。これは、ここでは限定されない。
【００４１】
本発明のこの実施例では、複数の四分型画素により形成されたOLEDパネルのような全体ディスプレイパネルは、複数の配置方式を有する。例えば、全体ディスプレイパネル内の複数の四分型画素の全てが同じ構造を有する。図１１、図１２及び図１３に示すように、複数の四分型画素内の全ての白色副画素は、上向き、下向き又は右向きのように同じ方向に向かって配置される。実際の用途では、全体ディスプレイパネル内の複数の四分型画素の全ては異なってもよく、前述の実施例に記載の複数の四分型画素配置方式の組み合わせを使用してもよい。例えば、図１４に示すように、白色副画素が左側にある２つの四分型画素と、白色副画素が右側にある２つの四分型画素とが配置され、全体ディスプレイパネルを形成するように組み合わされる。実際の製造過程では、副画素の発光面積は副画素の面積より小さいため、すなわち、実際のディスプレイパネルの蒸着領域は、副画素領域の一部のみを占有する。図１５に示すように、図１５は、図１１に対応する副画素マスクの配置方式の概略図である。
【００４２】
図１１〜図１４に示すディスプレイパネルは、四分型画素の構造が以下のような場合の単なる実施例である点に留意すべきである。第１の副画素及び第２の副画素は、個別にG副画素又はR副画素の１つであり、第３の副画素は、B副画素であり、R副画素の画素面積は、G副画素の画素面積より大きく、W副画素は、G副画素、B副画素及びR副画素により形成される全体構造の下側に配置される。これはまた、四分型画素が前述とは他の構造である場合にも適用可能であることが理解され得る。例えば、異なる構造の複数の四分型画素は、本発明のこの実施例におけるディスプレイパネルを形成するように様々な方式で配置される。これは、ここでは限定されない。
【００４３】
本発明のこの実施例におけるディスプレイパネルでは、第１の副画素、第２の副画素、第３の副画素及びW副画素は、陰極又は陽極電源を共有してもよい。例えば、図１６に示すように、第１の副画素、第２の副画素及び第３の副画素がそれぞれR副画素、G副画素及びB副画素である場合、R副画素、G副画素、B副画素及びW副画素は、陽極電源を共有する。この図面において、Vanodeは陽極電圧であり、Vcathodeは陰極電圧である。陽極電源は、図面に示す電源回路を使用してもよく、他の陽極電源回路を使用してもよい。これは、ここでは限定されない。
【００４４】
白色副画素は、他の色の副画素より小さい電力を消費するため、同じ量の電力が白色副画素及び他の副画素に適用された場合、電力消費が増加する。したがって、好ましくは、本発明のこの実施例では、電力消費を低減するために、第１の副画素、第２の副画素及び第３の副画素は、陰極又は陽極電源を共有し、W副画素は、別の陰極又は陽極電源を使用する。例えば、図１７に示すように、第１の副画素、第２の副画素及び第３の副画素がそれぞれR副画素、G副画素及びB副画素である場合、R副画素、G副画素及びB副画素は、陽極電源を共有し、W副画素は、個別の陽極電源を使用する。この図面において、Vanodeは陽極電圧であり、Vcathodeは陰極電圧である。陽極電源は、図面に示す電源回路を使用してもよく、他の陽極電源回路を使用してもよい。これは、ここでは限定されない。
【００４５】
前述の実施例は、単に本発明の技術的解決策を説明するためのものであり、本発明を限定するためのものであることを意図しない。本発明について前述の実施例を参照して詳細に説明したが、当業者は、本発明の実施例の技術的解決策の精神及び範囲を逸脱することなく、依然として前述の実施例に記載の技術的解決策に変更を行ってもよく、或いはそのいくつかの技術的特徴に等価置換を行ってもよいことを理解するべきである。
【図１】
0006549733.tif 000002
【図２】
0006549733.tif 000003
【図３】
0006549733.tif 000004
【図４】
0006549733.tif 000005
【図４Ａ】
0006549733.tif 000006
【図４Ｂ】
0006549733.tif 000007
【図５】
0006549733.tif 000008
【図６】
0006549733.tif 000009
【図７】
0006549733.tif 000010
【図８】
0006549733.tif 000011
【図９】
0006549733.tif 000012
【図１０】
0006549733.tif 000013
【図１１】
0006549733.tif 000014
【図１２】
0006549733.tif 000015
【図１３】
0006549733.tif 000016
【図１４】
0006549733.tif 000017
【図１５】
0006549733.tif 000018
【図１６】
0006549733.tif 000019
【図１７】
0006549733.tif 000020